(57)【要約】【課題】  安定したオーバーシュートを発生しうるレーザ制御装置を提供する。【解決手段】  レーザダイオード１と、レーザダイオード１から出力されるレーザビームＬＢを受光するフォトダイオード２と、フォトダイオード２から出力される電流に基づいて、レーザビームＬＢの光量が一定とされるようなレーザビームＬＢを出力させる駆動パルス電流Ｓ１を生成するレーザドライバ３と、駆動パルス電流Ｓ１の立ち上がりに同期し、かつ、駆動パルス電流のパルス幅よりもパルス幅の小さい制御信号を生成する制御信号生成部５２と、制御信号に応じてトランジスタをオンさせてオン電流Ｓ４を発生させ、当該オン電流Ｓ４を増幅した後、駆動パルス電流Ｓ１に重畳させ、合成駆動電流Ｓ５を生成するオーバーシュート生成部４とを備える。【選択図】      図３
2006068933.tif 000002
【特許請求の範囲】
【請求項１】
レーザビームを出力するレーザ光源と、
前記レーザ光源から出力されるレーザビームを受光する受光手段と、
前記受光手段により受光された光量を基に、前記レーザ光源から出力されるレーザビームの光量が一定となるように駆動パルス信号を生成するレーザ駆動手段と、
前記駆動パルス信号の立ち上がりに同期し、かつ、前記駆動パルス信号のパルス幅よりもパルス幅の狭いパルス状の制御信号を生成する制御信号生成手段と、
前記制御信号に応じたオーバーシュート用駆動電流を発生させ、当該電流を前記駆動パルス信号に重畳させて前記レーザ光源に出力し、レーザビームにオーバーシュートを発生させるオーバーシュート生成手段とを備えることを特徴とするレーザ制御装置。
【請求項２】
前記オーバーシュート生成手段は、前記制御信号に応じてオンするトランジスタを含み、当該トランジスタのオン電流を前記オーバーシュート用駆動電流とすることを特徴とする請求項１記載のレーザ制御装置。
【請求項３】
前記オーバーシュート生成手段は、前記トランジスタから出力されるオン電流を増幅させる増幅部を含み、前記増幅部により増幅されたオン電流を前記駆動パルス信号に重畳させることを特徴とする請求項２記載のレーザ制御装置。
【請求項４】
前記増幅部は、増幅率を調整するための可変抵抗を備えることを特徴とする請求項３記載のレーザ制御装置。
【請求項５】
前記制御信号のパルス幅を調整するパルス幅調整手段を更に備えることを特徴とする請求項１〜４のいずれかに記載のレーザ制御装置。
【請求項６】
感光体ドラムと、前記感光体ドラムに対してレーザビーム照射し、前記感光体ドラムに画像データの静電潜像を形成するレーザ制御部と、前記静電潜像を現像材を用いて現像し、記録紙に出力する出力部とを備える画像形成装置であって、
前記感光体ドラムは、アモルファスから構成され、
前記レーザ制御部は、
レーザビームを出力するレーザ光源と、
前記レーザ光源から出力されるレーザビームを受光する受光手段と、
前記受光手段により受光された光量を基に、前記レーザ光源から出力されるレーザビームの光量が一定となるように駆動パルス信号を生成するレーザ駆動手段と、
前記駆動パルス信号の立ち上がりに同期し、かつ、前記駆動パルス信号のパルス幅よりもパルス幅の狭いパルス状の制御信号を生成する制御信号生成手段と、
前記制御信号に応じたオーバーシュート用駆動電流を発生させ、当該電流を前記駆動パルス信号に重畳させて前記レーザ光源に出力し、レーザビームにオーバーシュートを発生させるオーバーシュート生成手段とを備えることを特徴とする画像形成装置。
【発明の詳細な説明】
【技術分野】
【０００１】
本発明は、レーザビームを出力するレーザ光源を制御するレーザ制御装置及び画像形成装置に関する。
【背景技術】
【０００２】
従来より、アモルファスシリコンの感光体ドラムを備えるレーザ方式の画像形成装置が知られているが、この画像形成装置を用いて、１２００ｄｐｉといった高解像度の画像を形成するためには、レーザビームの出力波形にオーバーシュートを生じさせ、感光体ドラムに対して高い強度のレーザビームを照射させることが要求される。
【０００３】
図６は、従来のレーザ制御装置を示している。図６に示すように、従来のレーザ制御装置は、レーザダイオード１００、フォトダイオード２００、レーザドライバ３００、及びスナバ回路４００から構成されている。レーザダイオード１００は、レーザドライバ３００から出力される駆動パルス信号の振幅に応じた光量のレーザビームを出力する。フォトダイオード２００は、レーザダイオード１００から出力されたレーザビームを受光し、受光したレーザビームの強度に応じた電流を出力する。
【０００４】
レーザドライバ３００は、レーザダイオード１００から出力されるレーザビームをフォトダイオード２００を介してフィードバックして、レーザビームの光量が一定の光量となるように駆動パルス信号を生成する。スナバ回路４００は、抵抗Ｒ、コンデンサＣ、及びビーズＢから構成され、レーザダイオード１００から出力されるレーザビームにオーバーシュートを発生させる。
【０００５】
なお、本願に関連する発明として、駆動パルス信号の傾きを調整することによりレーザビームのオーバーシュートを抑制させる技術が開示されている（特許文献１）。
【特許文献１】特開２００４−４７０２５号公報
【発明の開示】
【発明が解決しようとする課題】
【０００６】
しかしながら、図６に示すレーザ制御装置では、スナバ回路４００によりオーバーシュートを生成しているが、このスナバ回路４００は、レーザドライバ３００からの駆動パルス信号の所定の周波数成分を除去し、駆動パルス信号にオーバーシュートが生じるように駆動パルス信号の波形を変形させて、レーザビームにオーバーシュートを生じさせるものである。すなわち、従来のレーザ制御装置では、駆動パルス信号にフィルタリングを行うというようなアナログ的な作用によりレーザビームにオーバーシュートを生じさせていた。そのため、スナバ回路４００を構成する素子のばらつきが、駆動パルス信号のオーバーシュートの波形に大きな影響を及ぼしてしまう。特に、スナバ回路４００は、コンデンサＣを含み、コンデンサは、一般的にばらつきが極めて高いため、従来のレーザ制御装置では駆動パルス信号のオーバーシュートの波形を安定させることが困難であり、レーザビームのオーバーシュートを安定させることは困難であった。
【０００７】
本発明は、レーザビームに対して安定したオーバーシュートを発生させるレーザ制御装置及び画像形成装置を提供することである。
【課題を解決するための手段】
【０００８】
本発明にかかるレーザ制御装置は、レーザビームを出力するレーザ光源と、前記レーザ光源から出力されるレーザビームを受光する受光手段と、前記受光手段により受光された光量を基に、前記レーザ光源から出力されるレーザビームの光量が一定となるように駆動パルス信号を生成するレーザ駆動手段と、前記駆動パルス信号の立ち上がりに同期し、かつ、前記駆動パルス信号のパルス幅よりもパルス幅の狭いパルス状の制御信号を生成する制御信号生成手段と、前記制御信号に応じたオーバーシュート用駆動電流を発生させ、当該電流を前記駆動パルス信号に重畳させて前記レーザ光源に出力し、レーザビームにオーバーシュートを発生させるオーバーシュート生成手段とを備えることを特徴とする。
【０００９】
また、上記構成において、前記オーバーシュート生成手段は、前記制御信号に応じてオンするトランジスタを含み、当該トランジスタのオン電流を前記オーバーシュート用駆動電流とすることが好ましい。
【００１０】
また、前記オーバーシュート生成手段は、前記トランジスタから出力されるオン電流を増幅させる増幅部を含み、前記増幅部により増幅されたオン電流を前記駆動パルス信号に重畳させることが好ましい。
【００１１】
また、上記構成において、前記増幅部は、増幅率を調整するための可変抵抗を備えることが好ましい。
【００１２】
また、上記構成において、前記制御信号のパルス幅を調整するパルス幅調整手段を更に備えることが好ましい。
【００１３】
本発明にかかる画像形成装置は、感光体ドラムと、前記感光体ドラムに対してレーザビーム照射し、前記感光体ドラムに画像データの静電潜像を形成するレーザ制御部と、前記静電潜像を現像材を用いて現像し、記録紙に出力する出力部とを備える画像形成装置であって、前記感光体ドラムは、アモルファスから構成され、前記レーザ制御部は、レーザビームを出力するレーザ光源と、前記レーザ光源から出力されるレーザビームを受光する受光手段と、前記受光手段により受光された光量を基に、前記レーザ光源から出力されるレーザビームの光量が一定となるように駆動パルス信号を生成するレーザ駆動手段と、前記駆動パルス信号の立ち上がりに同期し、かつ、前記駆動パルス信号のパルス幅よりもパルス幅の狭いパルス状の制御信号を生成する制御信号生成手段と、前記制御信号に応じたオーバーシュート用駆動電流を発生させ、当該電流を前記駆動パルス信号に重畳させて前記レーザ光源に出力し、レーザビームにオーバーシュートを発生させるオーバーシュート生成手段とを備えることを特徴とする。
【発明の効果】
【００１４】
請求項１記載の発明によれば、パルス状の制御信号に応じてオーバーシュート生成用駆動電流が生成され、生成されたオーバーシュート駆動用電流は駆動パルス信号に重畳されてレーザ光源に出力されている。制御信号は、駆動パルス信号の立ち上がりに同期し、かつ、前記駆動パルス信号のパルス幅よりもパルス幅の狭いパルス状の信号であるため、前記オーバーシュート駆動用電流は、駆動パルス信号の立ち上がり時に駆動パルス信号に重畳される。これにより、駆動パルス信号にオーバーシュートが発生する。
【００１５】
すなわち、本発明は、駆動パルス信号とは別に生成されたオーバーシュート用駆動電流を駆動パルス信号に重畳させることにより、駆動パルス信号にオーバーシュートを生じさせている。そのため、駆動パルス信号の波形を変形させることにより駆動パルス信号にオーバーシュートを生じさせている従来の技術に比して、駆動パルス信号に波形の安定したオーバーシュートを生じさせることが可能となる。その結果、安定したオーバーシュートを有するレーザビームを発生させることができる。
【００１６】
請求項２記載の発明によれば、オーバーシュート用駆動電流がトランジスタのオン電流とされているため、オーバーシュート用駆動電流のピーク値が安定する結果、駆動パルス信号に波形の安定したオーバーシュートを生じさせることができる。
【００１７】
請求項３記載の発明によれば、オン電流を増幅して、オーバーシュートのピーク値を所望の値に調整することができる。
【００１８】
請求項４記載の発明によれば、可変抵抗を調整することによりオーバーシュートのピーク値を容易に調整することができる。
【００１９】
請求項５記載の発明によれば、制御信号のパルス幅を調整し、オーバーシュートが発生する期間を調整することができる。
【００２０】
請求項６記載の発明によれば、感光体ドラムには、安定した波形のオーバーシュートを有するレーザビームが照射されるため、レーザビームの照射開始時に高い光量が要求されるアモルファスからなる感光体ドラムに解像度の高い静電潜像を形成することが可能となり、その結果、高精細の画像を記録紙に印刷することができる。
【発明を実施するための最良の形態】
【００２１】
以下、本発明の実施の形態によるレーザ制御装置を説明する。図１は、本発明の一実施形態に係るレーザ光制御装置が適用される画像形成装置の内部構成を概略的に示す図である。この図において、画像形成装置１０は、画像形成本体部１２と、画像形成本体部１２から排出される記録紙に対しステイプル処理などの用紙処理を実行する用紙後処理部１４とを備えている。
【００２２】
画像形成本体部１２は、像形成搬送部１６と、像形成搬送部１６の上部に配設された原稿読取部１８と、原稿読取部１８の上方に配設された自動原稿給送部２０とを備えている。像形成搬送部１６は、光学ユニット２２と、感光体ドラム２４を有する像形成部２６と、定着部２８と、記録紙搬送部３０とを備えている。感光体ドラム２４は、例えばアモルファスから構成される。
【００２３】
原稿読取部１８は、像形成搬送部１６の頂部に装着された静止原稿読取領域を構成する第１のコンタクトガラス４４と、第１のコンタクトガラス４４に隣接して配設された搬送原稿読取領域を構成する第２のコンタクトガラス４３と、原稿画像を読み取るスキャナ３６とを備えている。第１のコンタクトガラス４４上に載置された原稿を複写するときには、スキャナ３６が第１のコンタクトガラス４４に沿って移動することで原稿画像を読み取る。自動原稿給送部２０により給送される原稿を複写するときには、スキャナ３６が停止した位置で第２のコンタクトガラス４３上を通過する原稿画像を読み取る。
【００２４】
自動原稿給送部２０は、原稿載置部３８と、原稿排出部４０と、給紙ローラ４５と、搬送ローラを有する原稿搬送部４６とを備えており、原稿載置部３８にセットされた原稿を給紙ローラ４５により繰り出して原稿搬送部４６により第２のコンタクトガラス４３上を通過させ、原稿排出部４０に排出する。なお、スキャナ３６で読み取られた原稿画像は、所定のデータ処理が施された後にデジタル信号に変換され、図略の画像メモリに記憶される。
【００２５】
光学ユニット２２は、上述の画像メモリから読み出された画像データを感光体ドラム２４に露光するもので、その画像データに基づいて生成された変調信号をレーザ光に変換して出力するレーザダイオードなどを備えている。なお、この光学ユニット２２の詳細な構成については後述する。
【００２６】
像形成部２６は、感光体ドラム２４の周面に配設された帯電器、この帯電器の下流側に配設された現像部、この現像部の下流側に配設されたクリーニング部などを有している。感光体ドラム２４は、矢印方向に回転され、帯電器と対向する位置で静電領域が形成され、この静電領域に光学ユニット２２から出力されるレーザ光により静電潜像が形成され、現像部と対向する位置で静電潜像がトナー像に現像される。感光体ドラム２４の対向位置には転写ローラが配設されており、トナー像の形成された感光体ドラム２４は、その転写ローラと対向する位置で記録紙にトナー像を転写し、クリーニング部と対向する位置で表面に残留しているトナーが除去される。なお、トナー像が転写された記録紙は定着部２８で加熱されて定着される。
【００２７】
記録紙搬送部３０は、記録紙が収納された複数の給紙カセット５０と、給紙カセット５０内の記録紙を外部に引き出す給紙ローラ５５と、給紙カセット５０から引き出した記録紙を感光体ドラム２４に導くと共に、感光体ドラム２４でトナー像が形成された記録紙を定着部２８を経由して用紙後処理部１４などに搬送する転写紙搬送路５４とを備えている。なお、複写された記録紙に対し用紙処理を施さない場合には記録紙は記録紙排出部５６に排出される。
【００２８】
用紙後処理部１４は、画像形成本体部１２から排出される記録紙に対しステイプル処理などの用紙処理を実行するもので、搬入口６０から順次搬入される複数枚の記録紙を一時的に収納し、所定枚数に達した転写紙束を外部に排出する中間トレイ部６２と、この中間トレイ部６２の下端部に配設された用紙処理部６５と、中間トレイ部６４から排出された転写紙束を集積するスタックトレイ部６６とを備えている。
【００２９】
図２は、上述した光学ユニット２２の構成をより詳細に説明するための図である。この図に示すように、光学ユニット２２は、レーザダイオード１、コリメータレンズ７２、ポリゴンミラー７４、及びｆθレンズ７６を備える。レーザダイオード１は、レーザビームＬＢを出力する。コリメータレンズ７２は、レーザダイオード１から出力されるレーザビームＬＢの光束を平行にする。ポリゴンミラー７４は、コリメータレンズ７２を通過したレーザビームＬＢを主走査方向に走査する。ｆθレンズ７６は、ポリゴンミラー７４により走査されるレーザビームＬＢの走査速度を一定にする。
【００３０】
図３は、レーザ制御装置の構成を示すブロック図である。レーザ制御装置は、レーザダイオード１、フォトダイオード２、レーザドライバ３、オーバーシュート生成部４、及び制御部５を備えている。レーザダイオード１、フォトダイオード２は、図６に示すレーザダイオード１００及びフォトダイオード２００と同一であるため説明を省略する。
【００３１】
レーザドライバ３は、Ｉ／Ｖ変換部３１、基準電圧記憶部３２、及び駆動パルス電流生成部３３を備え、レーザダイオード１から出力されるレーザビームＬＢをフォトダイオード２を介してフィードバックさせ、駆動パルス電流Ｓ１を生成する。Ｉ／Ｖ変換部３１は、フォトダイオード２から出力される電流信号を電圧信号に変換する。駆動パルス電流生成部３３は、パルス波であるビデオ信号Ｓ２と同期、かつ、同一のパルス幅を有すると共に、基準電圧記憶部３２に記憶された基準電圧とＩ／Ｖ変換部３１から出力される電圧との差が０となるような振幅を有する駆動パルス電流Ｓ１を生成する。なお、基準電圧記憶部３２が記憶する基準電圧は、感光体ドラム２４に対して良好な静電潜像が得られるような値が予め設定されている。
【００３２】
また、駆動パルス電流生成部３３は、オーバーシュートを生じさせる期間、すなわち、駆動パルス電流Ｓ１の立ち上がりから制御信号Ｓ３が立ち下がるまでの期間内においては、駆動パルス電流生成部３３から出力される電圧を０とするような制御を行わず、前回出力した駆動パルス電流Ｓ１の振幅値を例えばサンプルホールド回路等により保持させておき、当該振幅値を有する駆動パルス電流Ｓ１をオーバーシュート生成部４に出力する。
【００３３】
オーバーシュート生成部４は、制御信号に応じてレーザダイオード１から出力されるレーザビームＬＢにオーバーシュートが生じるように駆動パルス電流Ｓ１の波形を変形させ、合成駆動電流Ｓ５を生成する。図４は、オーバーシュート生成部４の回路図を示している。オーバーシュート生成部４は、オン電流生成部４１、及び増幅部４２を備えている。
【００３４】
オン電流生成部４１は、トランジスタＴ１、抵抗Ｒ１，Ｒ２を備え、制御信号Ｓ３に応じてオン電流Ｓ４を生成する。トランジスタＴ１は、ｎｐｎバイポーラトランジスタであり、ベースエミッタ間に抵抗Ｒ２が接続され、ベースに抵抗Ｒ１が接続され、エミッタが接地され、コレクタが可変抵抗Ｒ３を介してトランジスタＴ２のベースに接続されている。トランジスタＴ１のベースには制御信号Ｓ３が入力される。
【００３５】
増幅部４２は、トランジスタＴ２、可変抵抗Ｒ３、及び抵抗Ｒ４を備え、オン電流生成部４１により生成されたオン電流Ｓ４を増幅する。トランジスタＴ２は、ＰＮＰのバイポーラトランジスタから構成され、エミッタには電源部ＶＣＣが接続され、コレクタには駆動パルス電流生成部３４及びフォトダイオード２が接続されている。増幅部４２は、可変抵抗Ｒ３の抵抗値を調整することによりオン電流Ｓ４の増幅後の値を調整することができる。これにより、オーバーシュートのピーク値を所望の値に調整することができる。
【００３６】
図３に示す制御部５は、ＣＰＵ等から構成され、本画像形成装置全体の制御を司ると共に、ビデオ信号生成部５１、制御信号生成部５２、及びモード設定部５３を備えている。ビデオ信号生成部５１は、原稿読取部１８により読み取られた原稿の画像データに応じたパルス状のビデオ信号Ｓ２を生成する。
【００３７】
制御信号生成部５２は、ビデオ信号Ｓ２の立ち上がりに同期し、かつ、モード設定部５３より設定されている動作モードに応じたパルス幅を有する制御信号Ｓ３を生成する。なお、動作モードに応じたパルス幅は、予め記憶装置（図略）に記憶されている。モード設定部５３は、操作部６を介して入力されたユーザからの操作指令に従って本レーザ制御装置の動作モードを設定する。ここで、動作モードとしては、１２００ｄｐｉの画像を形成する高解像度モードと、６００ｄｐｉの画像を形成するノーマルモード等が存在する。操作部６は、タッチパネル、スタートボタン、テンキー等から構成され、オペレータからの操作指令を入力するために用いられる。
【００３８】
本実施形態では、レーザダイオード１がレーザ光源に相当し、フォトダイオード２が受光手段に相当し、レーザドライバ３がレーザ駆動手段に相当し、制御信号生成部５２が制御信号生成手段に相当し、オーバーシュート生成部４がオーバーシュート生成手段に相当し、操作部６、モード設定部５３、及び制御信号生成部５２がパルス幅調整手段に相当する。
【００３９】
図５は、本レーザ制御装置のタイミングチャートを示し、（ａ）〜（ｄ）は各々、ビデオ信号Ｓ２、駆動パルス電流Ｓ１、制御信号Ｓ３、及び合成駆動電流Ｓ５を示し、縦軸は電流、横軸は時間を示している。以下、図４の回路図及び図５のタイミングチャートを適宜参照しつつ本レーザ制御装置の動作について説明する。
【００４０】
まず、図５（ａ）に示すように制御信号Ｓ３がトランジスタＴ１のベースに入力されると、トランジスタＴ１がオンすることによりコレクタエミッタ間にオン電流Ｓ４が流れる。（ｃ）に示すように制御信号Ｓ３は、一定のパルス幅τを有し、（ａ）に示すビデオ信号Ｓ２を構成するいずれのパルスよりもパルス幅τが小さく、かつ、ビデオ信号Ｓ２の立ち上がりに同期した信号となっている。また、制御信号Ｓ３の振幅は、トランジスタＴ１をオンすることができる電流値が設定されている。
【００４１】
図４に示すように、トランジスタＴ１にオン電流Ｓ４が流れると、増幅部４２は可変抵抗Ｒ３及び抵抗Ｒ４の抵抗値によって定められる利得によりオン電流Ｓ４を増幅し、トランジスタＴ２のコレクタに出力する。
【００４２】
増幅されたオン電流Ｓ４は、ノードＶ１において、駆動パルス電流Ｓ１が重畳され、（ｄ）に示す合成駆動電流Ｓ５が生成される。駆動パルス電流Ｓ１の立ち上がり時からτ経過すると制御信号Ｓ３は立ち下がり、それに応じてトランジスタＴ１はオフされ、オン電流Ｓ４が０となる。
【００４３】
そのため、（ｄ）に示すように、立ち上がり時からτ経過するまでの期間、合成駆動電流Ｓ５の振幅は、増幅されたオン電流Ｓ４の振幅Ｉ１と駆動パルス電流Ｓ１の振幅Ｉ２とが加算された値となる。また、τ経過時から駆動パルス電流Ｓ１が立ち下がるまでの期間、合成駆動電流Ｓ５の振幅は、増幅されたオン電流Ｓ４が重畳されず駆動パルス電流Ｓ１の振幅Ｉ２と同じ値となる。これにより、駆動パルス信号Ｓ１は、急峻な立ち上がりを有する波形に変形される。
【００４４】
このような急峻な立ち上がりを有する合成駆動電流Ｓ５が、レーザダイオード１に流れると、レーザダイオード１から出力されるレーザビームＬＢは、合成駆動電流Ｓ５の立ち上がり時からτ経過するまでオーバーシュートを有することとなる。
【００４５】
以上説明したように、本レーザ制御装置によれば、ビデオ信号Ｓ２の立ち上がりと同期し、かつ、ビデオ信号Ｓ２を構成するどのパルスよりもパルス幅の小さいパルス波である制御信号Ｓ３が、トランジスタＴ１に出力され、トランジスタＴ１は、この制御信号Ｓ３に応じてオンされ、一定のオン電流Ｓ４を流す。オン電流Ｓ４は、増幅部４２により増幅され、トランジスタＴ２のコレクタへ出力され、ノードＶ１にて、駆動パルス電流Ｓ１に重畳され、合成駆動電流Ｓ５が生成され、レーザダイオード１に入力される。これにより、レーザビームＬＢにオーバーシュートが発生する。ここで、オン電流Ｓ４は、トランジスタＴ１のばらつきによる影響が低いため、オン電流Ｓ４はトランジスタＴ１のばらつきによらず一定の値を得ることが可能となり、レーザビームＬＢに対してピーク値が安定したオーバーシュートを生じさせることができる。
【００４６】
（１）上記実施形態では、オーバーシュート生成部４に増幅部４２を含ませたが、これに限定されず、オーバーシュート生成部４から増幅部４２を省いてもよい。
【００４７】
（２）上記実施形態では、レーザ光源としてレーザダイオードを用いたが、これに限定されず、他のレーザ素子を用いてもよい。
【００４８】
（３）上記実施形態では、トランジスタＴ１，Ｔ２としてバイポーラトランジスタを用いたがこれに限定されず、電界効果形のトランジスタを採用してもよい。
【図面の簡単な説明】
【００４９】
【図１】本発明の一実施形態に係るレーザ光制御装置が適用される画像形成装置の内部構成を概略的に示す図である。
【図２】上述した光学ユニットの構成をより詳細に説明するための図である。
【図３】レーザ制御装置の構成を示すブロック図である。
【図４】オーバーシュート生成部の回路図を示している。
【図５】本レーザ制御装置のタイミングチャートを示し、（ａ）〜（ｄ）は各々、ビデオ信号、駆動パルス電流、制御信号、及びオーバーシュート生成部から出力される合成駆動電流を示している。
【図６】従来のレーザ制御装置を示している。
【符号の説明】
【００５０】
１  レーザダイオード
２  フォトダイオード
３  レーザドライバ
４  オーバーシュート生成部
５  制御部
６  操作部
３１  変換部
３２  基準電圧記憶部
３３  駆動パルス電流生成部
４１  オン電流生成部
４２  増幅部
５１  ビデオ信号生成部
５２  制御信号生成部
５３  モード設定部
【図１】
2006068933.tif 000003
【図２】
2006068933.tif 000004
【図３】
2006068933.tif 000005
【図４】
2006068933.tif 000006
【図５】
2006068933.tif 000007
【図６】
2006068933.tif 000008